(57)【要約】【課題】郵便番号区分装置などの給送装置での破れトラブルを防止しつつ、申込意欲の低下を起こさせず、かつ、低コスト化を図ることができる封筒を提供する。【解決手段】封筒１０は、申込書２０を送付するためのものであり、宛名紙１１と、台紙１６などとを備え、宛名紙１１は、上側基材であって、タック基材１２、粘着剤層１３及び剥離紙１４が順に積層されたタックラベル紙であり、タック基材１２には、送付先の宛名情報１５が印字されており、剥離紙１４には、宛名紙１１の周縁部の粘着剤層１３を表出させるためのハーフカットｈｃが切り込まれており、台紙１６は、宛名紙１１と異なる材料の下側基材であって、具体的には、郵便番号区分装置に対する給送適性を満たさない厚みや強度を備える厚紙や段ボールであり、その内面に、申込書２０の配置場所を定めるセット位置１７を備える。【選択図】図１
2006062124.tif 000002
【特許請求の範囲】
【請求項１】
上側基材と、
前記上側基材と異なる材料の下側基材と、
前記上側基材と前記下側基材との周縁部の一部又は全部を封緘するための封緘手段と、
を備える封筒。
【請求項２】
請求項１に記載の封筒において、
前記上側及び／又は下側基材の内面に形成され、封入物を仮止めするための固定部を備えること、
を特徴とする封筒。
【請求項３】
請求項１又は請求項２に記載の封筒において、
前記上側及び／又は下側基材の内面であって、前記封緘手段と対応する部分に剥離手段を備えること、
を特徴とする封筒。
【請求項４】
請求項１から請求項３までのいずれか１項に記載の封筒において、
前記上側及び／又は下側基材は、折り線を介して折り畳み片と一体化されており、
前記折り畳み片は、前記折り線を用いて所定の形状に折り畳んだときに、前記封緘手段の封緘代を確保できる形状であること、
を特徴とする封筒。
【請求項５】
請求項１から請求項４までのいずれか１項に記載の封筒において、
前記上側基材と前記下側基材とは、少なくとも一部があらかじめ綴じ合わされていること、
を特徴とする封筒。
【請求項６】
請求項１から請求項５までのいずれか１項に記載の封筒において、
前記上側又は下側基材は、タック基材、粘着剤層及び剥離シートが順に積層されたタックシートであり、
前記剥離シートの周縁部の一部又は全部を剥離して、表出した前記粘着剤層を前記封緘手段とすること、
を特徴とする封筒。
【請求項７】
請求項６に記載の封筒において、
前記タック基材は、送付先の宛名情報を備えること、
を特徴とする封筒。
【請求項８】
請求項６に記載の封筒において、
前記タック基材は、必要事項を記入するための記入欄を備え、
前記タックシート以外の前記上側又は下側基材は、その外面に、送付先の宛名情報を備えること、
を特徴とする封筒。
【請求項９】
請求項１から請求項８までのいずれか１項に記載の封筒において、
前記上側又は下側基材は、所定の給送装置に対する給送適性を満たさない厚み及び／又は強度を備えること、
を特徴とする封筒。
【発明の詳細な説明】
【技術分野】
【０００１】
本発明は、クレジットカードなどの申込書を送付する場合に好適に利用できる封筒に関するものである。
【背景技術】
【０００２】
従来、クレジットカードなどの申込書は、封筒で送付されていた（例えば、特許文献１）。ハガキでは、サイズが小さすぎるので、要件を満たせないためである。
そこで、クレジットカードの紹介を行うチラシ部分と封書とが一体化したタイプのものが広く利用されているが、ここにきて、この封書一体型リーフレットに、郵便番号区分装置による破れトラブルが発生している。
【０００３】
原因としては、（１）郵便番号区分装置の高速化に伴う封筒へのストレス（物体に加えられる圧力）の増大、（２）チラシ部分との一体化に伴うコート紙の採用、といったことが挙げられる。
【０００４】
（１）郵便番号区分装置の高速化は、高速化を果たしつつも設置スペースを従来レベルに留めるために、郵便物の搬送経路は小さい半径の狭い場所を通過しながら、通紙距離を延ばして対応していることもあり、どうしてもストレスが大きくなってしまう。
【０００５】
（２）チラシ部分との一体化は、封書以外のチラシ部分のアイキャッチ効果を高めるために、昨今ではコート紙を使う場合が増えてきているが、コート紙は、ベース用紙の少なくとも一方の面に、主としてゴム系成分と顔料成分とを混合したコート剤を全面塗布していることから、通気性が悪く、申込書を封入封緘する状況によっては内部に空気が溜まり、この空気が、小さい半径の狭い場所を通過するときに、一箇所に集中するなどして破れトラブルに至っている。
【０００６】
この問題は、（ｉ）用紙をコート紙から上質紙へ変更する、（ｉｉ）周縁部の一部に糊付けしない場所を設けたり、基材そのものに孔加工をしたりして封筒の一部に空気抜き孔を設ける、などの工夫によって、一定の改善が可能となるが、上述した（２）のチラシ的要素を加味したいことを考慮すれば、コート紙にせざるを得ず、一体化するためには、結果的に封書もコート紙とせざるを得なかった。
【０００７】
一方、一体化されたものであっても、封筒を別に作製するタイプもある。
こちらは、言わば展開図状になった申込書であり、これを所定の位置で切り取ったり、折り曲げたり、糊を塗ったり、テープで止めたりすることで封筒としてしまうものである。
【０００８】
送付人は、自ら封筒を作製するため、封筒の強度は自分自身で配慮できる面を有するものの、封筒作りが大変であるために申込意欲が削がれるといった根本的な課題に加え、封筒を開封する側も一体化しているがゆえに丁寧に開封する必要が生じ、申込を受ける側の作業性はあまりよくなかった。
【特許文献１】特開２００４−０８２５８１号公報
【発明の開示】
【発明が解決しようとする課題】
【０００９】
本発明の課題は、郵便番号区分装置などの給送装置での破れトラブルを防止しつつ、申込意欲の低下を起こさせず、かつ、低コスト化を図ることができる封筒を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、上側基材（１１）と、前記上側基材（１１）と異なる材料の下側基材（１６）と、前記上側基材（１１）と前記下側基材（１６）との周縁部の一部又は全部を封緘するための封緘手段（１３）と、を備える封筒である。
請求項２の発明は、請求項１に記載の封筒において、前記上側及び／又は下側基材（１１、１６）の内面に形成され、封入物（２０）を仮止めするための固定部（１８）を備えること、を特徴とする封筒である。
請求項３の発明は、請求項１又は請求項２に記載の封筒において、前記上側及び／又は下側基材（１１、１６）の内面であって、前記封緘手段（１３）と対応する部分に剥離手段（１９）を備えること、を特徴とする封筒である。
請求項４の発明は、請求項１から請求項３までのいずれか１項に記載の封筒において、前記上側及び／又は下側基材（１１、１６）は、折り線（ａ）を介して折り畳み片（２０）と一体化されており、前記折り畳み片（２０）は、前記折り線（ａ）を用いて所定の形状に折り畳んだときに、前記封緘手段（１３）の封緘代を確保できる形状であること、を特徴とする封筒である。
請求項５の発明は、請求項１から請求項４までのいずれか１項に記載の封筒において、前記上側基材（１１）と前記下側基材（１６）とは、少なくとも一部があらかじめ綴じ合わされていること、を特徴とする封筒である。
請求項６の発明は、請求項１から請求項５までのいずれか１項に記載の封筒において、前記上側又は下側基材（１１、１６）は、タック基材（１２）、粘着剤層（１３）及び剥離シート（１４）が順に積層されたタックシートであり、前記剥離シート（１４）の周縁部の一部又は全部を剥離して、表出した前記粘着剤層（１３）を前記封緘手段（１３）とすること、を特徴とする封筒である。
請求項７の発明は、請求項６に記載の封筒において、前記タック基材（１２）は、送付先の宛名情報（１５）を備えること、を特徴とする封筒である。
請求項８の発明は、請求項６に記載の封筒において、前記タック基材（１２）は、必要事項を記入するための記入欄を備え、前記タックシート以外の前記上側又は下側基材（１１、１６）は、その外面に、送付先の宛名情報を備えること、を特徴とする封筒である。
請求項９の発明は、請求項１から請求項８までのいずれか１項に記載の封筒において、前記上側又は下側基材（１１、１６）は、所定の給送装置に対する給送適性を満たさない厚み及び／又は強度を備えること、を特徴とする封筒である。
【発明の効果】
【００１１】
本発明によれば、上側基材と下側基材とに、異なる材料（資材）を用いた封筒としたので、用途や目的に応じて、基材や厚み、強度などを選定でき、材料に無駄がなく、材料の最適化と低コスト化が図れる。
【００１２】
また、上側基材と下側基材とを封緘する封緘手段を備えるので、封筒を作製する手間が少なく、簡便であり、申込意欲を低下させることもない。
【００１３】
さらに、上側基材や下側基材に、所定の厚みや強度を備える基材を用いることによって、給送装置に給送させることができないので、給送装置による破れトラブルも防止できる。
【発明を実施するための最良の形態】
【００１４】
本発明は、郵便番号区分装置などの給送装置での破れトラブルを防止しつつ、申込意欲の低下を起こさせず、かつ、低コスト化を図ることができる封筒を提供するという目的を、宛名紙にタックラベル紙を用い、台紙に厚紙を用い、タックラベル紙の剥離紙に設けたハーフカットによって周縁部の粘着剤層を表出させ、その表出した粘着剤層でこの封筒を封緘することにより実現する。
【実施例１】
【００１５】
以下、図面等を参照して、本発明の実施例について、さらに詳しく説明する。
図１は、本発明による封筒の実施例１を示す図である。
実施例１の封筒１０は、申込書（封入物）２０を送付するためのものであり、宛名紙１１と、台紙１６などとを備える。
【００１６】
宛名紙１１は、上側基材であって、タック基材１２、粘着剤層１３及び剥離紙（剥離シート）１４が順に積層されたタックラベル紙（タックシート）である。
【００１７】
タック基材１２には、送付先の宛名情報１５が印字されており、剥離紙１４には、宛名紙１１の周縁部の粘着剤層１３を表出させるためのハーフカットｈｃが切り込まれている。
【００１８】
台紙１６は、宛名紙１１と異なる材料の下側基材であって、具体的には、郵便番号区分装置（所定の給送装置）に対する給送適性を満たさない厚みや強度を備える厚紙や段ボールであり、その内面に、申込書２０の配置場所を定めるセット位置１７を備える。
セット位置１７は、本実施例では、点線の枠で示しているが、例えば、矢印や絵柄などを印刷することによって、配置場所に誘導するようにしてもよい。
【００１９】
申込書２０は、クレジットカードなどの入会の申込を行うものであって、上質紙やノーカーボン紙などの用紙である。
【００２０】
次に、実施例１による封筒１０の使用方法について説明する。
まず、申込書２０に、必要事項を記入する。
ついで、セット位置１７からはみ出さない大きさに申込書２０を折り畳み、セット位置１７に置く。
さらに、宛名紙１１の裏面の剥離紙１４の周縁部を、ハーフカットｈｃに沿って剥離し、宛名紙１１と台紙１６とを封緘するための粘着剤層（封緘手段）１３を表出させる。
そして、宛名紙１１と台紙１６とを重ね合わせ、表出した粘着剤層１３によって、封筒１０の周縁部を封緘する。
最後に、この封筒１０を郵便ポストに投函する。
【００２１】
このように、実施例１によれば、宛名紙１１、台紙１６及び申込書２０に、異なる材料を用いているので、申込作業に適した基材を選定でき、材料に無駄がなく、材料の最適化と低コスト化が図れる。
【００２２】
また、宛名紙１１の粘着剤層１３によって封筒１０を封緘するので、封筒１０の作製が簡単であり、手間が少なく、申込意欲が向上する。
【００２３】
さらに、台紙１６に、厚紙や段ボールのような硬い基材を用いることによって、郵便番号区分装置の入り口段階で、他のルート又は手作業に分類されるようになるので、郵便番号区分装置を通すことができず、郵便番号区分装置による破れトラブルも防止できる。
【００２４】
さらにまた、タック基材１２には、宛名情報１５が印字されているので、異なる送付先の宛名紙１１を何枚か用意すれば、宛名紙１１を適宜選択するだけで、送付先を選択することができ、特に、カード会社を複数選択するような場合に好適である。
【実施例２】
【００２５】
図２は、本発明による封筒の実施例２を示す図である。
なお、前述した実施例１と同様な機能を果たす部分には、同一の符号又は末尾に統一した符号を付して、重複する説明や図面を適宜省略する。
実施例２の封筒１０Ａは、セット位置１７上に、申込書２０を仮止めするための再剥離粘着剤（固定部）１８を設けたものである。
このように、実施例２によれば、再剥離粘着剤１８を設けたので、台紙１６上に置いた申込書２０が不用意にずれることがなく、宛名紙１１を貼り込みやすい。
【実施例３】
【００２６】
図３は、本発明による封筒の実施例３を示す図である。
実施例３の封筒１０Ｂは、実施例２の封筒１０Ａに加え、宛名紙１１の表出する粘着剤層１３と接する台紙１６の周縁部に、剥離層（剥離手段）１９を設けたものである。
このように、実施例３によれば、剥離層１９を設けたので、封筒１０Ｂが開封しやすくなり、申込書２０を取り出しやすく、申込を受ける側の作業性が向上する。
【実施例４】
【００２７】
図４は、本発明による封筒の実施例４を示す図である。
実施例４の封筒１０Ｃは、台紙１６と申込書２０とを兼用している台紙兼申込書１６Ａを備えるものである。
台紙兼申込書１６Ａは、上質紙など用紙であり、台紙１６は、折り線ａを介して申込書（折り畳み片）２０と一体化され、申込書２０は、折り線ａを用いて内側に折り畳んだときに、粘着剤層１３の封緘代を確保できるように、粘着剤層１３の封緘代分だけ小さなサイズとなっている。
【００２８】
使用時には、記入済みの申込書２０を内側に折り畳み、台紙兼申込書１６Ａに宛名紙１１を重ね合わせ、台紙１６の３辺（左、上、右）の封緘代、及び、折り畳まれた申込書２０の１辺（下）と、表出した粘着剤層１３とを接着させ、封筒１０Ｃを封緘する。
このように、実施例４によれば、台紙１６と申込書２０とを兼用させたので、材料の無駄がより少なく、また、折り畳み方式であるので、申込書２０の配置場所がずれてしまうこともない。
【００２９】
（変形例）
以上説明した実施例に限定されることなく、種々の変形や変更が可能であって、それらも本発明の均等の範囲内である。
（１）上述した各実施例では、タック基材１２に宛名情報１５を設ける例で説明したが、台紙１６や台紙兼申込書１６Ａの外面に宛名情報１５を設け、タック基材１２に、必要事項を記入するための送付人記入欄を設けるようにしてもよい。このようにすれば、宛名紙１１が複数ある場合に、間違った送付先の宛名紙１１を貼り込んでしまうミスを防止できる。
【００３０】
（２）宛名紙１１と台紙１６とは、あらかじめ、一端を綴じ合わせておく（例えば、ライン状の糊で丁合する）ようにしてもよい。このようにすれば、重ね合わせ時の位置合わせが容易であり、粘着剤層１３の不用意な貼り付きも防止できるので、作業性が向上し、また、使用前に両者がばらばらになることもない。
【００３１】
（３）台紙１６や台紙兼申込書１６Ａは、宛名紙１１と略同等の大きさの例で説明したが、同等以上の大きさであってもよい。
【００３２】
（４）実施例３では、剥離手段は、剥離層１９の例で説明したが、剥離性基材や剥離性インキなどを使用して、粘着剤層／剥離層間、剥離層／基材間、基材／粘着剤層間のいずれかで開封（剥離）できるようにしてもよい。
【００３３】
（５）実施例４の封筒１０Ｃは、実施例１〜３の各封筒で説明したもの（例えば、厚紙、再剥離粘着剤１８、剥離層１９）などと組み合わせてもよい。
【図面の簡単な説明】
【００３４】
【図１】本発明による封筒の実施例１を示す図である。
【図２】本発明による封筒の実施例２を示す図である。
【図３】本発明による封筒の実施例３を示す図である。
【図４】本発明による封筒の実施例４を示す図である。
【符号の説明】
【００３５】
１０、１０Ａ〜１０Ｃ  封筒
１１  宛名紙（上側基材）
１２  タック基材
１３  粘着剤層（封緘手段）
１４  剥離紙（剥離シート）
１５  宛名情報
１６  台紙（下側基材）
１６Ａ  台紙兼申込書
１７  セット位置
１８  再剥離粘着剤（固定部）
１９  剥離層（剥離手段）
２０  申込書（封入物、折り畳み片）
ａ  折り線
ｈｃ  ハーフカット
【図１】
2006062124.tif 000003
【図２】
2006062124.tif 000004
【図３】
2006062124.tif 000005
【図４】
2006062124.tif 000006